(57)【要約】      （修正有）【課題】蛍光ホイールの回転とライトバルブの駆動を高精度に同期できる映像表示装置を提供する。【解決手段】映像表示装置１００は、光源装置１２と、回転基板と、光検出部１３０と、ライトバルブ９６と、制御部と、を備える。光検出部は、第１の領域に光が連続して入射している時間と等しい期間を第１期間とした場合に、第１期間内に含まれる第２期間と、第１期間内に含まれ第２期間と重複しない第３期間とにおいて、蛍光ホイール１６から出射された第１の色光の強度を検出する。制御部は、光検出部で検出された第１の色光の強度に基づいて、蛍光ホイールとライトバルブの少なくとも一方を制御する。【選択図】図１
2015195564.tif 000002
【特許請求の範囲】
【請求項１】
光源と、
前記光源からの光を入射し、第１の色光として出射する第１の領域が形成されているホイールを有する回転基板と、
前記第１の領域に前記光が連続して入射している時間と等しい期間を第１期間とした場合に、前記第１期間内に含まれる第２期間と、前記第１期間内に含まれ前記第２期間と重複しない第３期間とにおいて、前記ホイールから出射された前記第１の色光の強度を検出する光検出部と、
前記ホイールから出射された前記第１の色光を変調して映像のための光を出射するライトバルブと、
前記回転基板と、前記光検出部と、前記ライトバルブとに接続され、前記光検出部で検出された前記第１の色光の強度に基づいて、前記ホイールと前記ライトバルブの少なくとも一方を制御する制御部と、
を備えた
映像表示装置。
【請求項２】
前記制御部は、前記光検出部で検出された前記第１の色光の強度から前記第１の色の純度を算出し、前記純度が最大となるように、前記ホイールと前記ライトバルブの少なくとも一方を制御する
請求項１記載の映像表示装置。
【請求項３】
前記制御部に接続され、前記回転基板に光を照射し、前記回転基板から出射した光を検出し、インデックス信号として前記制御部に送信するインデックス検出部をさらに備え、
前記制御部は、前記インデックス信号と前記第１の色光の強度とに基づいて、前記ホイールと前記ライトバルブの少なくとも一方を制御する
請求項２記載の映像表示装置。
【請求項４】
前記インデックス検出部が前記インデックス信号を検出してから、前記ライトバルブに前記光が入射するまでの時間を示す値をインデックス値とし、
前記制御部は、前記インデックス値を変化させた場合の、前記第１の色光の強度から、前記第１の色の前記純度の最大値を求める
請求項３記載の映像表示装置。
【請求項５】
前記ホイールは、前記光源からの前記光を入射し、第２の色光として出射する第２の領域と、前記光源からの前記光を入射し、第３の色光として出射する第３の領域とを、さらに有する
請求項１記載の映像表示装置。
【請求項６】
前記制御部は、
前記第２期間における、前記第１の色光の強度から、前記第２の色光の強度と前記第３の色光の強度とを引いた値と、
前記第３期間における、前記第１の色光の強度から、前記第２の色光の強度と前記第３の色光の強度とを引いた値と、
の和である評価値が最大となるように、前記ホイールと前記ライトバルブの少なくとも一方を制御する
請求項５記載の映像表示装置。
【請求項７】
前記第１の領域には蛍光体が形成されている
請求項１記載の映像表示装置。
【請求項８】
前記第２期間と前記第３期間の長さが等しい
請求項１記載の映像表示装置。
【請求項９】
光源から光を照射するステップと、
前記光を、回転基板における第１の領域が形成されたホイールに入射し、その後、第１の色光として出射するステップと、
前記ホイールから出射された色光をライトバルブに照射するステップと、
前記第１の領域に前記光が連続して入射している時間と等しい期間を第１期間とした場合に、前記第１期間内に含まれる第２期間と、前記第１期間内に含まれ前記第２期間と重複しない第３期間とにおいて、前記ホイールから出射された第１の色光の強度を検出するステップと、
検出された前記第１の色光の強度に基づいて、前記ホイールと前記ライトバルブの少なくとも一方を、制御するステップと、
を備えた
映像表示装置の調整方法。
【請求項１０】
検出された前記第１の色光の強度から前記第１の色の純度を算出し、前記純度が最大となるように、前記ホイールと前記ライトバルブの少なくとも一方を制御する
請求項９記載の映像表示装置の調整方法。
【請求項１１】
前記回転基板に光を照射し、前記回転基板から出射した光を検出し、インデックス信号を生成するステップをさらに備え、
前記インデックス信号と前記第１の色光の強度とに基づいて、前記ホイールと前記ライトバルブの少なくとも一方を制御する
請求項１０記載の映像表示装置の調整方法。
【請求項１２】
前記インデックス信号が生成されてから、前記ライトバルブに前記光が入射するまでの時間を示す値をインデックス値とし、
前記インデックス値を変化させた場合の、前記第１の色光の強度から、前記第１の色の前記純度の最大値を求める
請求項１１記載の映像表示装置の調整方法。
【請求項１３】
前記ホイールは、前記光源からの前記光を入射し、第２の色光として出射する第２の領域と、前記光源からの前記光を入射し、第３の色光として出射する第３の領域とを、さらに有する
請求項９記載の映像表示装置の調整方法。
【請求項１４】
前記第２期間における、前記第１の色光の強度から、前記第２の色光の強度と前記第３の色光の強度とを引いた値と、
前記第３期間における、前記第１の色光の強度から、前記第２の色光の強度と前記第３の色光の強度とを引いた値と、
の和である評価値が最大となるように、前記ホイールと前記ライトバルブの少なくとも一方を制御する
請求項１３記載の映像表示装置の調整方法。
【請求項１５】
前記第１の領域には蛍光体が形成されている
請求項９記載の映像表示装置の調整方法。
【請求項１６】
前記第２期間と前記第３期間の長さが等しい
請求項９記載の映像表示装置の調整方法。
【発明の詳細な説明】
【技術分野】
【０００１】
本開示は、ホイールを用いたフィールドシーケンシャル方式の映像表示装置とその調整方法に関する。
【背景技術】
【０００２】
映像表示装置において、ホイールに形成したインデックスマークを検出することにより、ホイールとライトバルブ（空間光変調素子）との同期をとる方法が知られている。特許文献１の画像表示装置は、カラーホイールの２色の領域（セグメント）をまたぐようにサンプリング期間を設定し、そのサンプリング期間に取得した光量をもとにインデックスマークのずれ量を算出している。そして、そのずれ量に基づいて、カラーホイールの回転とライトバルブの駆動を同期させている。
【先行技術文献】
【特許文献】
【０００３】
【特許文献１】特開２０１３−２２５０８９号公報
【発明の概要】
【発明が解決しようとする課題】
【０００４】
本開示は、ホイールの回転とライトバルブの駆動とをより高精度に同期できる映像表示装置とその調整方法を提供する。
【課題を解決するための手段】
【０００５】
映像表示装置は、光源と、回転基板と、光検出部と、ライトバルブと、制御部と、を備える。回転基板は、光源からの光を入射し、第１の色光として出射する第１の領域が形成されているホイールを有する。光検出部は、第１の領域に光が連続して入射している時間と等しい期間を第１期間とした場合に、第１期間内に含まれる第２期間と、第１期間内に含まれ第２期間と重複しない第３期間とにおいて、ホイールから出射された第１の色光の強度を検出する。ライトバルブは、ホイールから出射された第１の色光を変調して映像のための光を出射する。制御部は、回転基板と、光検出部と、ライトバルブとに接続され、光検出部で検出された第１の色光の強度に基づいて、ホイールとライトバルブの少なくとも一方を制御する。
【０００６】
映像表示装置の調整方法は、光源から光を照射するステップと、光を、回転基板における第１の領域が形成されたホイールに入射し、その後、第１の色光として出射するステップと、ホイールから出射された色光をライトバルブに照射するステップとを備える。さらに、映像表示装置の調整方法は、第１の領域に光が連続して入射している時間と等しい期間を第１期間とした場合に、第１期間内に含まれる第２期間と、第１期間内に含まれ第２期間と重複しない第３期間とにおいて、ホイールから出射された第１の色光の強度を検出するステップと、検出された第１の色光の強度に基づいて、ホイールとライトバルブの少なくとも一方を、制御するステップと、を備える。
【発明の効果】
【０００７】
本開示における映像表示装置は、ホイールの回転とライトバルブの駆動を高精度に同期させるのに有効である。
【図面の簡単な説明】
【０００８】
【図１】本実施の形態における映像表示装置の構成図
【図２】本実施の形態における蛍光基板の側面図
【図３】本実施の形態における蛍光基板の上面図
【図４】本実施の形態における映像表示装置の電気的構成を示すブロック図
【図５】本実施の形態における蛍光基板とインデックス検出部との関係を示す概略図
【図６】本実施の形態における蛍光基板とインデックス検出部との他の関係を示す概略図
【図７】（ａ）〜（ｄ）は、本実施の形態におけるインデックスマークが適切な場合の、蛍光ホイールとライトバルブとの関係を示すタイミング図
【図８】（ａ）〜（ｄ）は、本実施の形態におけるインデックスマークがずれた場合の、蛍光ホイールとライトバルブとの関係を示すタイミング図
【図９】（ａ）〜（ｄ）は、本実施の形態におけるインデックスマークがずれた場合の、蛍光ホイールとライトバルブとの関係を示すタイミング図
【図１０】（ａ）〜（ｅ）は、本実施の形態における蛍光ホイールとライトバルブの動作の関係を示すタイミング図
【図１１】本実施の形態におけるインデックス値と評価値との関係を示すグラフ
【発明を実施するための形態】
【０００９】
従来の画像表示装置において、カラーホイールの２色の領域をまたぐようにレーザー光が入射すると、混色した光が一定期間出射する場合がある。カラーホイールとして蛍光ホイールを用いた場合にその特徴が顕著に現れる。そのため、カラーホイールの２色の領域をまたぐようにサンプリング期間を設定する従来の方法では、カラーホイールの回転とライトバルブの駆動を高精度に同期するのが困難な場合がある。
【００１０】
本開示は、ホイールの回転とライトバルブの駆動とを高精度に同期できる映像表示装置とその調整方法を提供する。
【００１１】
以下、図面を参照しながら、実施形態を説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、添付図面および以下の説明は、当業者が本開示を十分に理解するために、提供されるのであって、これらにより特許請求の範囲に記載の主題を限定することは意図されていない。
【００１３】
以下の実施形態の説明では、映像表示装置の一例としてプロジェクタを挙げて説明するが、実施形態はそれに限定されず、映像表示装置はテレビや他の表示装置などであってもよい。
【００１４】
（実施の形態）
以下、図面を参照して、本実施の形態を説明する。
【００１５】
［１−１．構成］
［１−１−１．全体構成］
図１は、本実施の形態における映像表示装置１００の構成図である。本実施の形態では、映像表示装置１００の一例として、プロジェクタを用いている。映像表示装置１００は、照明装置１０と、映像生成部９０と、光検出部（光センサ）１３０と、制御部１１０（図４参照）とを備える。また、映像表示装置１００は、投写レンズ９８を有していてもよい。なお、図１において、制御部１１０は省略している。
【００１６】
照明装置１０は、映像生成部９０に、均一で略平行の光を照射するように構成されている。照明装置１０の詳細は後述する。
【００１７】
映像生成部９０は、レンズ９２と、全反射プリズム９４と、ライトバルブ９６とを備える。本実施形態では、ライトバルブ（空間光変調素子）９６の一例として、１枚のＤＭＤ（Ｄｉｇｉｔａｌ  Ｍｉｒｒｏｒ  Ｄｅｖｉｃｅ）を用いている。レンズ９２は、ロッドインテグレータ７２からの光をライトバルブ９６に結像させる。レンズ９２を介して全反射プリズム９４に入射した光は、面９４ａによって反射され、ライトバルブ９６へ導かれる。ライトバルブ９６は、入射される光に合わせて入力される映像信号Ｖ１に応じて、制御部１１０（後述）により、制御される。ライトバルブ９６によって変調された映像光（映像となる光）は、全反射プリズム９４を透過して投写レンズ９８へ導かれる。ライトバルブ９６としては、対角サイズが例えば０．６７インチのＤＭＤを用いている。
【００１８】
投写レンズ９８は、映像生成部９０によって生成された映像光を、スクリーン（図示せず）へ投写する。その結果、スクリーンに映像が表示される。投写レンズ９８のＦナンバーは、例えば１．７である。本実施の形態では、投写光学系の一例として、投写レンズ９８を用いている。
【００１９】
［１−１−２．照明装置の構成］
図１に示すように、照明装置１０は、光源装置１２と、導光光学系７０とを備えている。導光光学系７０は、光源装置１２からの出射光を映像生成部９０へと導いている。
【００２０】
以下に光源装置１２の構成について説明する。レーザーモジュール２０は、半導体レーザー素子２２と、レンズ２４とを備えている。半導体レーザー素子２２は、５行５列のマトリクス状に配置されている。レンズ２４は、半導体レーザー素子２２の一つ一つに設けられている。半導体レーザー素子２２から、広がり角を持った波長４５０ｎｍの青色レーザー光が出射される。そして、半導体レーザー素子２２からの光は、レンズ２４により平行な光になる。レーザーモジュール２０は、光源の一例である。
【００２１】
レーザーモジュール２０から出射した青色光は、レンズ３４によって集光される。レンズ３４によって集光された光は、レンズ３６と拡散板３８とを透過する。レンズ３６は、レンズ３４によって集光された光を再び平行な光に戻す。拡散板３８は、レーザー光の干渉を低減させるとともに、レーザー光の集光を調整する。
【００２２】
ダイクロイックミラー４０は、カットオフ波長を約４８０ｎｍに設定した色合成素子である。すなわち、ダイクロイックミラー４０は、青色光を反射し、赤色光および緑色光を透過する。レンズ３６により略平行光になった青色光は、ダイクロイックミラー４０によって反射され、蛍光ホイール１６へ照射される。レーザー光スポットサイズを小さくして光利用効率を向上させるために、蛍光ホイール１６に照射されるレーザー光は、レンズ４２、４４により集光される。
【００２３】
図２は、本実施の形態における蛍光基板１５の側面図である。図３は、本実施の形態における蛍光基板１５の上面図である。言い換えれば、図３は、蛍光基板１５を蛍光ホイール１６の側から見た図である。
【００２４】
蛍光基板（回転基板）１５は、蛍光ホイール１６と、回転体１０２とを有している。蛍光ホイール１６は、円板形状のアルミ基板１０４を有している。アルミ基板１０４の表面には、高反射膜１０６がコーティングされている。レーザー光の光軸に対してアルミ基板１０４の円板面が垂直となるように、蛍光ホイール１６が配置されている。アルミ基板１０４は回転体１０２に取り付けられ、回転方向ＲＤ１に沿って回転する。回転速度は、例えば、６０回転／秒である。
【００２５】
レンズ４２、４４（図１参照）により集光されたレーザー光は、円形状のスポット光ＳＰ１として蛍光ホイール１６に照射される。蛍光ホイール１６は、スポット光ＳＰ１が照射される円周上の回転方向ＲＤ１（すなわち周方向）に沿って、複数の領域（セグメント）を有する。具体的には、蛍光ホイール１６には、回転方向ＲＤ１に沿って、蛍光体領域１１４（第１の領域）と、蛍光体領域１１６と、貫通領域１１８とが順に配置されている。蛍光体領域１１４には、赤色光（第１の色光）を発する蛍光体が、高反射膜１０６の上に形成されている。蛍光体領域１１４に、波長４５０ｎｍの青色の光が入射した場合、主波長が６１０ｎｍの赤色光が発生する。蛍光体領域１１６には、緑色光（第２の色光）を発する蛍光体が、高反射膜１０６の上に形成されている。蛍光体領域１１６に、波長約４５０ｎｍの青色の光が入射した場合、主波長が５５０ｎｍの緑色光が発生する。貫通領域１１８は、アルミ基板１０４に設けられた貫通穴である。貫通領域１１８に照射された青色のレーザー光は、そのまま反対側へ透過する。すなわち、貫通領域１１８から出射する光は、青色光（第３の色光）である。
【００２６】
蛍光ホイール１６における、蛍光体領域１１４、１１６と、貫通領域１１８とが、投写される映像の１フレームの期間（例えば、１／６０秒）に対応している。１フレーム期間は、３つのセグメント期間（第１セグメント期間Ｒ１、第２セグメント期間Ｇ１、第３セグメント期間Ｂ１）と、３つのスポーク（Ｓｐｏｋｅ）期間Ｓ１、Ｓ２、Ｓ３とに、時間的に分割されている（図７参照）。蛍光体領域１１４のみに光が照射される期間を第１セグメント期間Ｒ１とする。蛍光体領域１１６のみに光が照射される期間を第２セグメント期間Ｇ１とする。貫通領域１１８のみに光が照射される期間を第３セグメント期間Ｂ１とする。スポーク期間Ｓ１、Ｓ２、Ｓ３は、２つのセグメント期間にまたがって光が照射され、２つのセグメント期間の混色光が出射する期間である。
【００２７】
スポーク期間Ｓ１は、第３セグメント期間Ｂ１と第１セグメント期間Ｒ１との間に存在している。すなわち、スポーク期間Ｓ１は、青色と赤色の混色光が出射する期間である。スポーク期間Ｓ２は、第１セグメント期間Ｒ１と第２セグメント期間Ｇ１との間に存在している。すなわち、スポーク期間Ｓ２は、赤色と緑色の混色光が出射する期間である。スポーク期間Ｓ３は、第２セグメント期間Ｇ１と第３セグメント期間Ｂ１との間に存在している。すなわち、スポーク期間Ｓ３は、緑色と赤色の混色光が出射する期間である。
【００２８】
第１セグメント期間に、蛍光ホイール１６に照射された光は、赤色の光に変換されて、蛍光ホイール１６から反射される。また、第２セグメント期間に、蛍光ホイール１６に照射された光は、緑色の光に変換されて、蛍光ホイール１６から反射される。これら赤色および緑色の蛍光は、レンズ４４、４２によって平行光になり、ダイクロイックミラー４０に戻り、ダイクロイックミラー４０を透過する（図１参照）。
【００２９】
一方、第３セグメント期間に、蛍光ホイール１６に照射された光は、貫通領域１１８を透過する。蛍光ホイール１６を透過した青色光は、ミラー５０、５２、５８により、再びダイクロイックミラー４０に戻る。また、蛍光ホイール１６を透過した青色光は、レンズ４２、４４によって集光されているが、レンズ４６、４８によって平行光になる。さらに、レンズ５４と、レーザー光の干渉性を更に低減させるための拡散板５６が光路に配置されている。
【００３０】
蛍光ホイール１６を透過し、ミラー５０、５２、５８により、ダイクロイックミラー４０に戻った青色光は、ダイクロイックミラー４０によって反射される。このようにして、蛍光ホイール１６を透過した光（青色光）の光路と反射した光（赤色光および緑色光）の光路とは、ダイクロイックミラー４０によって空間的に合成される。
【００３１】
以上のように蛍光ホイール１６は、複数の領域（セグメント）を備えており、回転により時分割に異なる波長の光を出射する。
【００３２】
ダイクロイックミラー４０によって合成された光は、レンズ６０により集光され、光源装置１２からの出射光となる。光源装置１２からの出射光（言い換えると、蛍光ホイール１６からの光）は、導光光学系７０に入射する。
【００３３】
次に、導光光学系７０について説明する。導光光学系７０は、ロッドインテグレータ７２と、レンズ７４、７６と、ミラー７５とを有する。光源装置１２からの出射光は、ロッドインテグレータ７２へと入射される。ロッドインテグレータ７２は、入射面７２ａおよび出射面７２ｂを有している。ロッドインテグレータ７２の入射面７２ａに入射した光源装置１２からの光は、ロッドインテグレータ７２内で照度がより均一化され、出射面７２ｂから出射する。ロッドインテグレータ７２を出射した光は、レンズ７４を通り、ミラー７５で反射された後にレンズ７６を通り、映像生成部９０に入射する。
【００３４】
ミラー７５は、入射光の９９％以上を反射する。ミラー７５で反射されなかった光はミラー７５を透過する。ミラー７５を透過した光の光路上に、光検出部１３０が配置されている。光検出部１３０は、ミラー７５を透過した光を検出する。つまり、光検出部１３０は、蛍光ホイール１６から出射する光を検出している。光検出部１３０の詳細については後述する。
【００３５】
照明装置１０は上記のように構成されている。蛍光ホイール１６から出射した光はライトバルブ９６に入射する。ライトバルブ９６は、蛍光ホイール１６から出射する光を変調して映像光を出射する。
【００３６】
［１−１−３．電気的構成］
図４は、映像表示装置１００の電気的構成を示すブロック図である。図５は、蛍光基板１５とインデックス検出部１２０との関係を示す概略図である。映像表示装置１００において、制御部１１０は、蛍光基板（回転基板）１５と、インデックス検出部１２０と、光検出部（光センサ）１３０と、ライトバルブ９６と、メモリ１４０とに接続されている。インデックス検出部１２０は、蛍光ホイール１６の回転位置を検出する。制御部１１０は、マイクロコンピュータなどである。制御部１１０に入力される映像信号Ｖ１については、後述する。
【００３７】
インデックス検出部１２０はフォトリフレクタであり、発光部８２および受光部８４により構成されている。蛍光ホイール１６のアルミ基板１０４にインデックスマーク８０が設置されている。また、インデックスマーク８０に対向する位置に発光部８２および受光部８４が配置されている。発光部８２は、アルミ基板１０４に光を照射し、受光部８４は、アルミ基板１０４から反射した光を受光する。一方、インデックスマーク８０は発光部８２からの光をほとんど反射しない。したがって、蛍光ホイール１６の回転により、インデックスマーク８０が受光部８４と対向する位置を通過する際に、受光部８４が受ける光の強度が低下する。インデックス検出部１２０が、光の強度の変化を検出することにより、蛍光ホイール１６の回転位置がわかる。インデックス検出部１２０は、光の強度が変化した際に、インデックスマーク８０を検出したことを示すインデックス信号を制御部１１０へ送る。インデックス信号は、例えば、インデックスマーク８０が検出されたときにハイレベル、検出されていないときにローレベルとなる。
【００３８】
光検出部１３０は、上述したように蛍光ホイール１６から出射した光を検出する。具体的には光検出部１３０は、受光した光に含まれる赤色光、緑色光、青色光の各々の強度に応じたデジタル値を、光情報として制御部１１０へ送る。
【００３９】
制御部１１０は、映像表示装置１００の動作を制御する。制御部１１０は、メモリ１４０にあらかじめ記憶されたプログラムを読み出して実行することにより、各種の制御を行う。制御部１１０は、蛍光ホイール１６の回転と、ライトバルブ９６の駆動とを同期して制御する。
【００４０】
制御部１１０は、インデックス検出部１２０からのインデックス信号を受信する。また、制御部１１０は、光検出部１３０からの光情報により、蛍光ホイール１６からの出射光、すなわちライトバルブ９６への入射光が何色の光であるかを認識する。制御部１１０は、インデックス信号と、ライトバルブ９６への入射光の色とから、インデックスマーク検出のタイミングと、各色光がライトバルブ９６に入射する期間との関係を把握する。この関係に基づいて制御部１１０は、蛍光ホイール１６の回転位置を認識し、蛍光ホイール１６とライトバルブ９６とを同期駆動する。
【００４１】
尚、本実施の形態では、図５に示すように、アルミ基板１０４にインデックスマーク８０を設置した。しかし、インデックスマーク８０は、図６に示すように、回転体１０２に設置してもよい。
【００４２】
［１−２．動作］
以上のように構成された映像表示装置１００の動作を以下に説明する。
【００４３】
［１−２−１．蛍光ホイールとＤＭＤとの同期駆動］
照明装置１０（図１参照）は、時間的に切り替わる赤色光、緑色光および青色光の３色の光を出力する。映像生成部９０は、照明装置１０の光から映像光を生成する。投写レンズ９８は、生成された映像光をスクリーン（図示せず）へ投写する。制御部１１０は、照明装置１０および映像生成部９０の駆動のタイミングを管理している。つまり制御部１１０は、映像生成部９０のライトバルブ９６と、照明装置１０の蛍光ホイール１６とを同期駆動する。
【００４４】
ここで、同期駆動とは、蛍光ホイール１６の回転周波数（回転数／秒）および位相と、ライトバルブ９６の駆動周波数（Ｈｚ）および位相とを、各々一致させることを意味する。ライトバルブ９６の駆動周波数とは、１秒間当たりの１フレーム分の映像光を投写するための駆動、すなわち赤色、緑色、青色の映像光を各１回投写するための駆動を行う回数を意味する。位相を一致させるとは、蛍光ホイール１６から特定の色（例えば赤色）の光が出射しているとき（すなわちライトバルブ９６に特定の色の光が入射しているとき）に、ライトバルブ９６がその特定の色（例えば赤色）の映像を出射するようにライトバルブ９６を駆動することである。
【００４５】
制御部１１０は、制御部１１０に入力される映像信号Ｖ１に基づいて、各色光に対応した映像光を生成するように、ライトバルブ９６を制御する。具体的には、制御部１１０は、映像信号Ｖ１から赤色、緑色、青色に対応する各色の映像信号Ｖ２を生成する。次に制御部１１０は、蛍光ホイール１６の各色のセグメント期間に対応して、各色の映像信号Ｖ２に基づいてライトバルブ９６を駆動する。なお、各色の映像信号Ｖ２に基づいてライトバルブ９６が駆動される各期間をライトバルブ９６のセグメント期間（駆動期間）と呼ぶ。
【００４６】
例えば、制御部１１０は、ライトバルブ９６に赤色光が入射する期間において、ライトバルブ９６を赤色の映像信号ＶＲ２に基づいて制御する。これにより、赤色の映像信号ＶＲ２に基づいた赤色の映像光が、スクリーンに投写される。同様にして、緑色の映像光、青色の映像光がスクリーンに投写される。以上のようにして、時分割に各色の映像光がスクリーンに投写される。ユーザは、スクリーンに投写される映像光を連続的に見ることで、映像を視認できる。
【００４７】
次に、同期駆動の具体的な方法について説明する。制御部１１０は、インデックス検出部１２０からのインデックス信号とインデックス値に基づき、ライトバルブ９６に入射する光の色を間接的に認識する。
【００４８】
本実施の形態においてインデックス値とは、インデックス信号がハイレベルになった時（すなわちインデックス検出部１２０がインデックスマーク８０を検出した時）からライトバルブ９６へ赤色光が入射し始めるまでの時間を示す値である。インデックス値は、例えば、０から２５５の範囲の値を取るとする。インデックス値は、メモリ１４０に保持される。インデックス値を参照することにより、制御部１１０は、光検出部１３０からの光情報を参照せずに、インデックス信号に基づいて、蛍光ホイール１６の回転位置を認識する。蛍光ホイール１６の回転位置は、蛍光ホイール１６からの出射光、すなわちライトバルブ９６への入射光の状態を示している。制御部１１０は、蛍光ホイール１６から出射する光と時間（いいかえれば、ライトバルブ９６に入射する色光と時間）を認識する。そして制御部１１０は、蛍光ホイール１６から出射される色光に合わせて、ライトバルブ９６を駆動、すなわち同期駆動する。つまり、インデックス値は、蛍光ホイール１６とライトバルブ９６との位相の関係を示す値である。
【００４９】
［１−２−２．蛍光ホイールのインデックス調整］
上記のようにして、制御部は蛍光ホイール１６とライトバルブ９６との同期駆動を行う。同期駆動においては、インデックス値が適切に設定され、インデックス信号とインデックス値とから、現在どの色の映像光がライトバルブ９６に入射しているのかを正確に把握することが重要になる。
【００５０】
蛍光ホイール１６の回転位置については、ホイールの回転部分に取り付けられたインデックスマーク８０をインデックス検出部１２０によって検出できる。しかし、インデックスマーク８０の取り付け位置に数度程度のずれが発生してしまうと、インデックス値が適切でなくなる。インデックス値が適切でない場合、現在どの色の映像光がライトバルブ９６に入射しているかが正確に把握できなくなる。すなわち、蛍光ホイール１６とライトバルブ９６との位相がずれるため、投写する映像光に混色が発生し、映像品質が低下する。
【００５１】
以下に、インデックスマーク８０の取り付け位置と、蛍光ホイール１６の回転と、ライトバルブ９６の駆動との関係を説明する。以下の図７（ａ）〜（ｄ）、図８（ａ）〜（ｄ）、図９（ａ）〜（ｄ）では、インデックス値が同じで、インデックスマーク８０の貼り付け位置が異なる場合（インデックスマーク８０がずれた場合）を示している。
【００５２】
図７（ａ）〜（ｄ）は、インデックスマーク８０が適切な場合の、蛍光ホイール１６とライトバルブ９６との関係を示すタイミング図である。  図８（ａ）〜（ｄ）、図９（ａ）〜（ｄ）は、インデックスマーク８０がずれた場合の、蛍光ホイール１６とライトバルブ９６との関係を示すタイミング図である。図７（ａ）〜（ｄ）、図８（ａ）〜（ｄ）、図９（ａ）〜（ｄ）において、横軸は１フレーム期間における時間の経過を示している。
【００５３】
図７（ａ）、図８（ａ）、図９（ａ）は、インデックス信号を示している。
【００５４】
図７（ｂ）、図８（ｂ）、図９（ｂ）は、蛍光ホイール１６の第１セグメント期間Ｒ１、第２セグメント期間Ｇ１、第３セグメント期間Ｂ１、スポーク期間Ｓ１、Ｓ２、Ｓ３を示している。
【００５５】
図７（ｃ）、図８（ｃ）、図９（ｃ）は、制御部１１０が、インデックス検出部１２０から受信した信号に基づいて、ライトバルブ９６に送信する信号を示している。すなわち、図７（ｃ）、図８（ｃ）、図９（ｃ）は、ライトバルブ９６において、セグメント期間Ｒｄの開始のタイミングを示す信号であり、ここでは赤色の映像光を表示するためにライトバルブ９６を駆動する信号を示している。
【００５６】
図７（ｄ）、図８（ｄ）、図９（ｄ）は、ライトバルブ９６の駆動を示している。セグメント期間Ｒｄは、赤色の映像光を表示するためにライトバルブ９６を駆動する期間、セグメント期間Ｇｄは緑色の映像光を表示するためにライトバルブ９６を駆動する期間、セグメント期間Ｂｄは、青色の映像光を表示するためにライトバルブ９６を駆動する期間である。
【００５７】
いいかえれば、セグメント期間Ｒｄは、ライトバルブ９６において赤色の映像信号ＶＲ２に対応した駆動が行われている期間である。セグメント期間Ｇｄは、ライトバルブ９６において緑色の映像信号ＶＧ２に対応した駆動が行われている期間である。セグメント期間Ｂｄは、ライトバルブ９６において青色の映像信号ＶＢ２に対応した駆動が行われている期間である。斜線部分の期間は、ライトバルブ９６が投写レンズ９８に向けて光を反射していない期間（非投写期間）である。
【００５８】
例えば、赤色光を発生する蛍光体領域１１４の先頭に対応する位置にインデックスマーク８０が配置されているとする。インデックスマーク８０がずれていない状態では、図７（ａ）〜（ｄ）に示すように、蛍光ホイール１６から赤色光が出射される第１セグメント期間Ｒ１と、赤色の映像光を表示するためにライトバルブ９６を駆動するセグメント期間Ｒｄは一致する。
【００５９】
次にインデックスマーク８０がずれた場合について説明する。図８（ａ）〜（ｄ）は、インデックスマーク８０が、蛍光体領域１１４の先頭よりも緑色光を発生する蛍光体領域１１６側に少しずれた場合を示している。この場合でも、インデックスマーク８０を基準にして、ライトバルブ９６が駆動される。そのために、蛍光ホイール１６から赤色光が出射される第１セグメント期間Ｒ１と、赤色の映像光を表示するためにライトバルブ９６が駆動するセグメント期間Ｒｄにずれが生じてしまう。
【００６０】
図９（ａ）〜（ｄ）は、インデックスマーク８０が、蛍光体領域１１４の先頭よりも青色光を発生する貫通領域１１８側に少しずれた場合を示している。この場合でも、インデックスマーク８０を基準にして、ライトバルブ９６が駆動される。そのために、蛍光ホイール１６から赤色光が出射される第１セグメント期間Ｒ１と、赤色の映像光を表示するためにライトバルブ９６が駆動するセグメント期間Ｒｄにずれが生じてしまう。第１セグメント期間Ｒ１とライトバルブ９６が駆動するセグメント期間Ｒｄがずれると、第２セグメント期間Ｇ１とセグメント期間Ｇｄ、第３セグメント期間Ｂ１とセグメント期間Ｂｄもずれることになる。
【００６１】
本開示では、インデックスマーク８０がすれた場合でも、インデックス調整により、蛍光ホイール１６の回転と、ライトバルブ９６の駆動を高精度に同期できる。以下にその詳細を説明する。
【００６２】
本開示では、制御部１１０により、蛍光ホイール１６とライトバルブ９６との位相のずれを測定し、インデックス値を適切に設定する。そして、蛍光ホイール１６におけるセグメント期間の開始時間と、それに対応するライトバルブ９６の駆動の開始時間とを一致させ、映像品質を維持する。これをインデックス調整という。
【００６３】
インデックス調整を行うことにより、蛍光ホイール１６の回転数とライトバルブ９６の駆動周波数とを対応させた状態で、蛍光ホイール１６とライトバルブ９６との相対的な動作を変更できる。以下、本実施の形態の映像表示装置１００におけるインデックス調整について説明する。
【００６４】
なお本開示では、インデックス値は、０から２５５の値をとるとする。そして、インデックス検出部１２０がインデックスマーク８０を検出してから、ライトバルブ９６へ赤色光が入射し始めるまでの時間に遅延がない場合、インデックス値は１２７であるとする。ここで、インデックス値の１が、０．２５度の角度に相当するものとする。そうすると、インデックス値の調整により、±約３２度の範囲（０．２５×１２７≒３２）で、インデックスマークの位置ずれが調整できる。ただし、インデックス値や角度などの値は、上記の値に限らず、他の値でもよい。
【００６５】
まず、蛍光ホイール１６に光を入射し、蛍光ホイール１６とライトバルブ９６とを駆動させる。図１０（ａ）〜（ｅ）は、インデックス値を変化させたときの蛍光ホイール１６とライトバルブ９６との動作の関係を示すタイミング図である。図１０（ａ）〜（ｅ）において、横軸は１フレーム期間における時間の経過を示している。
【００６６】
図１０（ａ）は、ライトバルブ９６の動作を示している。セグメント期間Ｒｄは、ライトバルブ９６において赤色の映像信号ＶＲ２に対応した駆動が行われている期間である。セグメント期間Ｇｄは、ライトバルブ９６において緑色の映像信号ＶＧ２に対応した駆動が行われている期間である。セグメント期間Ｂｄは、ライトバルブ９６において青色の映像信号ＶＢ２に対応した駆動が行われている期間である。斜線部分の期間は、ライトバルブ９６が投写レンズ９８に向けて光を反射していない期間（非投写期間）である。
【００６７】
図１０（ｂ）は、光検出部１３０での光情報の検出期間を示している。検出期間については、ライトバルブ９６の特定のセグメント期間（駆動期間）の先頭と後尾に対応する一定期間とする。本実施の形態では、赤色に対応するセグメント期間（すなわち、ライトバルブ９６が、赤色の映像信号ＶＲ２に対応して駆動している期間）を特定のセグメント期間（第１期間Ｔ１）とする。また、第１期間Ｔ１に含まれる先頭の一定期間を検出期間（第２期間）Ｔ２とする。さらに、第１期間に含まれ、検出期間Ｔ２と重複しない後尾の一定期間を検出期間（第３期間）Ｔ３とする。言い換えると、赤色のセグメント期間（第１期間Ｔ１）のうち、先頭から一定期間を検出期間Ｔ２とする。赤色のセグメント期間のうち、ある位置から最後尾までの期間を検出期間Ｔ３とする。検出期間Ｔ２と検出期間Ｔ３とは、共に赤色のセグメント期間に含まれている。ここで、検出期間Ｔ２と検出期間Ｔ３とは、長さが同じであることが好ましい。また、検出期間Ｔ２と検出期間Ｔ３との間は、なるべく長い方が好ましい。
【００６８】
ライトバルブ９６のセグメント期間Ｒｄの長さは、蛍光ホイールから赤色光が出射される第１セグメント期間の長さと等しい（他の色についても同様）。すなわち、蛍光体領域１１４のみに光が入射する第１セグメント期間と長さが等しい第１期間Ｔ１に含まれる先頭の一定期間を検出期間Ｔ２、第１期間Ｔ１に含まれ且つ検出期間Ｔ２と重複しない後尾の一定期間を検出期間Ｔ３と言うことができる。
【００６９】
光情報の検出期間については、特定のセグメント期間すべてにわたって検出するのではなく、図１０（ｂ）に示すように検出期間を短くし、かつセグメント期間のうち先頭と後尾の期間とすることによって、検出精度が向上する。また、制御部１１０の検出する時間が短くなり、検出の処理にかかる負担が軽減される。
【００７０】
次に、インデックス調整の具体的な処理手順について説明する。制御部１１０は、まず任意のインデックス値（例えば、最初に設定されているインデックス値）を用いて照明装置１０を駆動して各色光を出射させる。なお、インデックス調整は、制御部１１０が照明装置１０を制御することにより行われる。このとき、映像信号Ｖ１の有無やライトバルブ９６の駆動については任意である。次に制御部１１０は、蛍光ホイール１６から出射された光を光検出部１３０により検出させる。光検出部１３０は、検出した光から赤色、緑色、青色の各成分の強さに応じたデジタル値を生成し、光情報として制御部１１０へ送る。
【００７１】
制御部１１０は、光情報を用いて、光の純度検出用の評価値ＳＲを算出する。検出期間Ｔ２における光情報に含まれる赤色成分を測定値ＳＲ１、緑色成分を測定値ＳＧ１、青色成分を測定値ＳＢ１とする。また、検出期間Ｔ３における光情報に含まれる赤色成分を測定値ＳＲ２、緑色成分を測定値ＳＧ２、青色成分を測定値ＳＢ２とする。評価値ＳＲは、上記測定結果を用いて、（式１）のように表せる。
ＳＲ＝ＳＲ１−ＳＧ１−ＳＢ１＋ＳＲ２−ＳＧ２−ＳＢ２    （式１）
制御部１１０は、インデックス値を変化させながら照明装置１０を駆動して評価値ＳＲを算出する。これにより、制御部１１０は、インデックス値と評価値ＳＲとの関係を示す情報を取得する。
【００７２】
図１１は、インデックス値と評価値ＳＲとの関係を示すグラフである。図の横軸はインデックス値、縦軸は評価値ＳＲを示している。検出期間Ｔ２、Ｔ３において、多くの赤色成分が検出されるほど、（式１）に示す評価値ＳＲは増加する。一方、緑色や青色等、赤色以外の波長の色成分を持つ光が混入した場合、評価値ＳＲは減少する。従って、インデックス値を変化させた場合のＳＲの値は、赤色の純度が最大となるピーク値を持つグラフとなる。図１１においては、インデックス値が１３０であるときに評価値ＳＲが最大値を取る場合を示している。制御部１１０は、評価値ＳＲの最大値が得られるときのインデックス値（この例では１３０）を新たなインデックス値としてメモリ１４０に記憶する。
【００７３】
図１０（ｃ）は、インデックス値を「１２０」に設定したときの、ライトバルブ９６に対する蛍光ホイール１６の位相関係を示している。図１０（ｄ）は、インデックス値を「１３０」に設定したときの、ライトバルブ９６に対する蛍光ホイール１６の位相関係を示している。図１０（ｅ）は、インデックス値を「１４０」に設定したときの、ライトバルブ９６に対する蛍光ホイール１６の位相関係を示している。
【００７４】
第１セグメント期間Ｒ１は、光検出部１３０が検出した光情報が、赤色光を示す期間である。すなわち、第１セグメント期間Ｒ１は、蛍光ホイール１６から赤色光が出射する期間である。第２セグメント期間Ｇ１は、光検出部１３０が検出した光情報が、緑色光を示す期間である。すなわち、第２セグメント期間Ｇ１は、蛍光ホイール１６から緑色光が出射する期間である。第３セグメント期間Ｂ１は、光検出部１３０が検出した光情報が、青色光を示す期間である。すなわち、第３セグメント期間Ｂ１は、蛍光ホイール１６から青色光が出射する期間である。各セグメント期間の間には、徐々に光の色が変化するスポーク期間Ｓ１、Ｓ２、Ｓ３が存在している。
【００７５】
インデックス値が１２０、１３０および１４０の場合の、ライトバルブ９６の制御タイミングと蛍光ホイール１６から出射する光の様子は、それぞれ図１０（ｃ）、（ｄ）、（ｅ）のようになる。ここで、評価値ＳＲが最大値となるインデックス値が最適なインデックス値である。本実施例においては、図１０（ｄ）に示すように、インデックス値が１３０のときに、蛍光ホイールからの光の出射とライトバルブ９６の駆動とが同期している。制御部１１０は、インデックス値が１３０のときに蛍光ホイール１６とライトバルブ９６とが同期していると判断する。このように映像表示装置１００が調整される。
【００７６】
以後、上記のように調整したインデックス値を用いて、蛍光ホイール１６およびライトバルブ９６を、図１０（ｄ）および図１０（ａ）に示すように駆動する。このように、本実施の形態によれば、蛍光ホイール１６とライトバルブ９６とが、高精度に同期して駆動される。
【００７７】
すなわち、本開示では、まず、蛍光ホイール１６およびライトバルブ９６を駆動し、インデックス調整を行い、評価値ＳＲが最大となるインデックス値をメモリ１４０に記憶しておく。次に、制御部１１０を駆動する際に、このインデックス値に基づいて制御部１１０を駆動すれば、インデックスマーク８０の位置がずれていても、蛍光ホイール１６とライトバルブ９６は、高精度に同期して駆動される。
【００７８】
［１−３．効果等］
以上のように、本実施の形態において、映像表示装置１００は、レーザーモジュール２０と、蛍光ホイール１６と、ライトバルブ９６と、光検出部１３０と、制御部１１０と、を有する。
【００７９】
蛍光ホイール１６は、回転可能に設けられたアルミ基板１０４の回転方向ＲＤ１に蛍光体領域１１４を含む複数のセグメントを有している。蛍光ホイール１６の複数のセグメントのうち少なくとも１つのセグメントが、レーザーモジュール２０から入射する光の色を異なる色の光に変換して出射する。
【００８０】
ライトバルブ９６は、蛍光ホイール１６から出射する光を変調して映像光を出射する。
【００８１】
光検出部１３０は、蛍光ホイール１６から出射する光を検出する。
【００８２】
制御部１１０は、蛍光体領域１１４のみに光源からの光が入射する第１セグメント期間と長さが等しい第１期間Ｔ１に含まれる検出期間Ｔ２および第１期間Ｔ１に含まれ且つ検出期間Ｔ２と重複しない検出期間Ｔ３の各々における光検出部１３０の検出結果に基づいて、蛍光ホイール１６とライトバルブ９６との駆動タイミングを同期させる。
【００８３】
このような構成することにより、本実施の形態における映像表示装置１００は、蛍光ホイール１６の回転と、ライトバルブ９６の駆動を高精度に同期できる。すなわち、混色光が出射するスポーク期間Ｓ１、Ｓ２、Ｓ３が存在する場合でも、蛍光ホイール１６の回転と、ライトバルブ９６の駆動を高精度に同期できる。
【００８４】
（他の実施の形態）
以上のように、本出願において開示する技術の例示として、実施の形態を説明した。しかしながら、本開示における技術は、これに限定されず、変更、置き換え、付加、省略などを行った実施の形態にも適用できる。また、上記の本実施の形態で説明した各構成要素を組み合わせて、新たな実施の形態とすることも可能である。
【００８５】
そこで、以下、他の実施の形態を例示する。
【００８６】
本実施の形態では、第１セグメントの一例として蛍光体領域１１４を説明した。しかし、蛍光体領域１１６や、貫通領域１１８を第１セグメントとしてもよい。すなわち、青色や緑色の純度を、評価値ＳＲとして、用いてもよい。
【００８７】
本実施の形態では、第２期間（検出期間）Ｔ２を、赤色のセグメント期間に含まれる先頭の一定期間とし、第３期間（検出期間）Ｔ３を、検出期間Ｔ２と重複しない後尾の一定期間として説明した。つまりセグメント期間の最初の一定期間と最後の一定期間とを検出期間とした。しかしながら、第２期間Ｔ２は、第１セグメントのみに光源からの光が入射する期間と長さが等しい第１期間Ｔ１に含まれる期間であればよい。また、第３期間Ｔ３は、第１期間Ｔ１に含まれ且つ第２期間Ｔ２と重複しない期間であればよい。言い換えると、第２期間Ｔ２および第３期間Ｔ３は互いに重複せず一定間隔を置いて設定されており、第２期間Ｔ２の後に第３期間Ｔ３が設定されており、第２期間Ｔ２の先頭から第３期間Ｔ３の後尾までの期間の長さが第１期間Ｔ１の長さ以下であればよい。したがって、第２期間Ｔ２はセグメント期間の最初から一定の間隔をおいて設定され、第３期間Ｔ３はセグメント期間の最後から一定の間隔をおいて設定されていてもよい。
【００８８】
本実施の形態では、第２期間Ｔ２と第３期間Ｔ３とは長さが等しいものとして説明した。しかし、第２期間Ｔ２と第３期間Ｔ３とは必ずしも同じ長さでなくてもよい。第２期間Ｔ２と第３期間Ｔ３とを異なる長さにした場合、期間の長さを考慮して重み付けをすることにより、評価値ＳＲを算出すればよい。
【００８９】
本実施の形態では、インデックス値を、インデックス信号がハイレベルになった時（インデックスマーク８０が検出された時）からライトバルブ９６へ赤色光が入射し始めるまでの時間を示す値であるものとした。しかし、インデックス値は、インデックス信号の検出期間と蛍光ホイール１６の回転位置（またはライトバルブ９６への各色光の入射タイミング）との関係を示す情報であればよい。したがって、インデックス値を、インデックス信号がハイレベルになってから緑色光または青色光が入射し始めるまでの時間としてもよい。
【００９０】
本実施の形態では、ホイールとして蛍光ホイール１６を例に挙げて説明した。しかし、ホイールとしては、回転可能に設けられた基材の回転方向ＲＤ１に第１セグメントを含む複数のセグメントを有し、複数のセグメントのうち少なくとも１つのセグメントが、光源から入射する光の色を異なる色に変換して出射する構成であればよい。したがってホイールは、入射する光の波長のうち一部の波長をカットすることにより、入射光とは異なる色の光を出射するセグメントを備えたカラーホイールやトリミングホイールなどであってもよい。
【００９１】
本実施の形態では、光源として半導体レーザー素子２２を用いた。しかし、光源はこれに限らず、例えばメタルハライドランプ、超高圧水銀ランプ、ハロゲンランプなどであってもよい。
【００９２】
本実施の形態では、ライトバルブ９６の一例としてＤＭＤを用いて説明した。しかし、ライトバルブは、照明装置１０から出射された光を変調して映像光を出力する素子であればよい。例えば、ライトバルブは、反射型液晶パネルや、透過型液晶パネルなどでもよい。
【００９３】
本実施の形態では、５行５列のマトリクス状に配置された半導体レーザー素子２２により構成されるレーザーモジュール２０を例示したが、半導体レーザー素子２２の数および配置はこれに限定されるものではなく、半導体レーザー素子２２の１つあたりの光強度や、光源装置１２に所望される出力などに応じて適宜設定すればよい。また、レーザー光の波長も４５０ｎｍに限定されるものではなく、例えば、４０５ｎｍの光を出力する紫色半導体レーザー素子や、４００ｎｍ以下の紫外線光を出力する半導体レーザー素子などを用いてもよい。
【００９４】
本実施の形態では、青色のレーザー光によって蛍光体を励起し、赤色および緑色を主波長とする光を発光する構成を例示したが、黄色、黄緑色、青緑色等を主波長とする光を発光させる蛍光体を用いてもよい。
【００９５】
光変調素子サイズ、光学系のＦナンバー、蛍光体の種類、蛍光体に入射されるレーザー光強度に応じて、蛍光体上のレーザー光スポット径の最適値は多少変動する。そのため、映像表示装置の仕様に応じて、上記の実施形態で示したパラメータの最適化手法に基づき、適宜最適な値を設定すればよい。
【００９６】
以上のように、映像表示装置１００は、光源（半導体レーザー素子２２）と、回転基板（蛍光基板１５）と、光検出部１３０と、ライトバルブ９６と、制御部１１０と、を備える。回転基板（蛍光基板１５）は、光源（半導体レーザー素子２２）からの光を入射し、第１の色光として出射する第１の領域が形成されているホイール（蛍光ホイール１６）を有する。光検出部１３０は、第１の領域に光が連続して入射している時間と等しい期間を第１期間Ｔ１とした場合に、第１期間Ｔ１内に含まれる第２期間Ｔ２と、第１期間Ｔ１内に含まれ第２期間Ｔ２と重複しない第３期間とにおいて、ホイール（蛍光ホイール１６）から出射された第１の色光の強度を検出する。ライトバルブ９６は、ホイール（蛍光ホイール１６）から出射された第１の色光を変調して映像のための光を出射する。制御部１１０は、回転基板（蛍光基板１５）と、光検出部１３０と、ライトバルブ９６とに接続され、光検出部１３０で検出された第１の色光の強度に基づいて、ホイール（蛍光ホイール１６）とライトバルブ９６の少なくとも一方を制御する。
【産業上の利用可能性】
【００９７】
本技術は、蛍光体を用いた照明装置およびそれを備えた映像表示装置に適用可能である。具体的には、プロジェクタのほか、テレビなどに、本技術は適用可能である。
【符号の説明】
【００９８】
１０  照明装置
１２  光源装置
１５  蛍光基板
１６  蛍光ホイール
２０  レーザーモジュール
２２  半導体レーザー素子
２４、３４、３６、４２、４４、４６、４８、５４、６０、７４、７６、９２  レンズ
５０、５２、５８、７５  ミラー
３８、５６  拡散板
４０  ダイクロイックミラー
７０  導光光学系
７２  ロッドインテグレータ
８０  インデックスマーク
８２  発光部
８４  受光部
９０  映像生成部
９４  全反射プリズム
９４ａ  面
９６  ライトバルブ
９８  投写レンズ
１００  映像表示装置
１０２  回転体
１０４  アルミ基板
１１４、１１６  蛍光体領域
１１８  貫通領域
１１０  制御部
１２０  インデックス検出部
１３０  光検出部
１４０  メモリ
ＲＤ１  回転方向
ＳＰ１  スポット光
Ｒ１  第１セグメント期間
Ｇ１  第２セグメント期間
Ｂ１  第３セグメント期間
Ｓ１、Ｓ２、Ｓ３  スポーク期間
ＳＲ  評価値
ＳＲ１、ＳＲ２、ＳＧ１、ＳＧ２、ＳＢ１、ＳＢ２  測定値
Ｖ１  映像信号
Ｖ２  各色の映像信号
ＶＲ２  赤色の映像信号
ＶＧ２  緑色の映像信号
ＶＢ２  青色の映像信号
Ｔ１  第１期間
Ｔ２  検出期間（第２期間）
Ｔ３  検出期間（第３期間）
【図１】
2015195564.tif 000003
【図２】
2015195564.tif 000004
【図３】
2015195564.tif 000005
【図４】
2015195564.tif 000006
【図５】
2015195564.tif 000007
【図６】
2015195564.tif 000008
【図７】
2015195564.tif 000009
【図８】
2015195564.tif 000010
【図９】
2015195564.tif 000011
【図１０】
2015195564.tif 000012
【図１１】
2015195564.tif 000013